(57)【要約】【課題】内部で引き回す給電線の保持作業が容易で、しかも低コストに製造することが可能な電線保持具を備えた照明装置を提供する。【解決手段】取付部１と、取付部１の一方の面に配設された発光ユニット２と、発光ユニット２を覆うカバー３とを備え、発光ユニット２に接続された給電線２５を取付部１の他方の面に向けて回し込む構成の照明装置である。給電線２５が回し込まれる取付部１の縁部に配設されて給電線２５を保持する電線保持具４を備える。電線保持具４は、取付部１に取り付けられるベース部４１と、ベース部４１に対して傾倒可能にヒンジで連結されたクランプ部４２を備え、ベース部４１には給電線２５を挿通させる電線挿通溝４６が設けられる。クランプ部４２は傾倒されたときに、電線挿通溝４６を覆うととともに給電線２５をベース部４１との間に挟持する。【選択図】  図３
2018014192.tif 000002
【特許請求の範囲】
【請求項１】
取付部に取り付けられた状態で、前記取付部の一方の面の側と反対側である他方の面の側とに引き回される電線を保持できる電線保持具であって、前記取付部に固定されるベース部と、前記ベース部に対して傾倒可能に連結されたクランプ部とを備え、前記ベース部には前記電線を挿通させる電線挿通溝が設けられており、前記クランプ部は、傾倒された状態で前記電線挿通溝を覆うととともに前記ベース部との間に前記電線を挟持している電線保持具。
【請求項２】
前記ベース部は板状であり、前記クランプ部は前記ベース部の厚さ方向あるいは前記ベース部の面方向に傾倒可能である請求項１に記載の電線保持具。
【請求項３】
前記クランプ部及び前記ベース部には相互に係合可能である係合部が設けられており、前記それぞれの係合部は、前記クランプ部が傾倒された状態で相互に係合されている請求項１又は２に記載の電線保持具。
【請求項４】
前記クランプ部は、傾倒された状態で前記電線挿通溝内に配置されている押圧突起を備えた請求項１から３のいずれか一項に記載の電線保持具。
【請求項５】
前記ベース部は、前記取付部に固定された状態で、前記取付部に設けられた取付孔あるいは係合凹部に係合されるスナップ部を備えた請求項１から４のいずれか一項に記載の電線保持具。
【請求項６】
前記ベース部は、前記電線を保持する保持部を備えた請求項１から５のいずれか一項に記載の電線保持具。
【請求項７】
前記ベース部は、前記電線を案内するガイド部を備えた請求項６に記載の電線保持具。
【請求項８】
前記取付部には電線挿通切欠きが設けられており、前記電線挿通溝が前記電線挿通切欠きと重なる位置に配置された状態で前記ベース部が前記電線挿通切欠きを覆う位置に固定されている請求項１から７のいずれか一項に記載の電線保持具。
【請求項９】
取付部と、前記取付部の一方の面に配置された発光ユニットと、前記取付部に取り付けられた状態で、前記発光ユニットに接続されるとともに前記取付部の他方の面の側に向けて引き回される電線を保持できる電線保持具とを備え、前記電線保持具は、前記取付部に固定されるベース部と、前記ベース部に連結されたクランプ部とを有しており、前記ベース部には前記電線を挿通させる電線挿通溝が設けられており、前記クランプ部は傾倒された状態で前記電線挿通溝を覆うとともに前記ベース部との間に前記電線を挟持している照明装置。
【発明の詳細な説明】
【技術分野】
【０００１】
本発明は発光ダイオード（以下、ＬＥＤと称す。）等の発光素子を光源とする照明装置に関し、特に照明装置内に配設される給電線を保持するための電線保持具と、これを備える照明装置に関するものである。
【背景技術】
【０００２】
ＬＥＤを光源とするＬＥＤ照明装置の一つとして、例えば、特許文献１には、照明装置を家屋の天井や壁に直接取り付ける、直付型の照明装置として構成したものが提案されている。このＬＥＤ照明装置は、複数のＬＥＤ素子が長手方向に沿って配列されたＬＥＤ基板をヒートシンクに取り付けた状態でＬＥＤモジュールが形成されている。また、ＬＥＤ基板にはコネクタが設けられており、ヒートシンクにはＬＥＤ基板と反対側に電源ボックスが取り付けられており、ＬＥＤに電力を供給する２本の導電線がヒートシンクに設けられた孔部または切欠部を経由して電源ボックスとコネクタとを電気的に接続している。
【０００３】
そして、特許文献１のＬＥＤ照明装置では、孔部または切欠部に２本の導電線を保護する保護部材が設けられた構成が開示されている。
【先行技術文献】
【特許文献】
【０００４】
【特許文献１】特開２０１５−１９８０９２号公報
【発明の概要】
【発明が解決しようとする課題】
【０００５】
しかしながら、特許文献１に記載されたＬＥＤ照明装置では、２本の導電線は、それぞれ別々に用意された孔部または切欠部を経由させる必要があるので配線作業が面倒であり手間を要する。２本の導電線を保護する保護部材は、２本の導電線がそれぞれ経由する孔部または切欠部に設ける必要があるので取り付け作業が面倒であり手間を要する。このため、ＬＥＤ照明装置の製造コストを増大させてしまう。
【０００６】
また、特許文献１に記載されたＬＥＤ照明装置では、保護部材は孔部または切欠部の端部に対して導電線が直接接触しないようにヒートシンクに貼り付けることによって取り付けられており、導電線の移動を規制して安定な状態で保持されるものではない。このため、不安定な状態である導電線は、ＬＥＤ照明装置の製造工程あるいは施工工程において、損傷してしまったり作業を妨げてしまったりするおそれがある。また、ＬＥＤ照明装置が長期間にわたって使用された場合に、ヒートシンクに貼り付けられた保護部材は捲れたり剥がれたりするおそれもある。つまり、ＬＥＤ照明装置の製造品質、施工品質、長期的品質を低下させてしまうおそれがある。
【０００７】
本発明は上記の課題を鑑みてなされたものであり、その目的は、容易な作業で導電線を安定な状態に保持できる電線保持具と、この電線保持具を用いて低コストに製造することができる照明装置とを提供することである。
【課題を解決するための手段】
【０００８】
本発明の一態様に係る電線保持具は、取付部に取り付けられた状態で、取付部の一方の面の側と反対側である他方の面の側とに引き回される電線を保持できる電線保持具であって、この電線保持具は、取付部に固定されるベース部と、このベース部に対して傾倒可能に連結されたクランプ部とを備え、ベース部には電線を挿通させる電線挿通溝が設けられており、クランプ部は、傾倒された状態で電線挿通溝を覆うととともにベース部との間に電線を挟持している。
【０００９】
本発明の一態様に係る照明装置は、取付部と、取付部の一方の面に配置された発光ユニットと、この発光ユニットに接続されるとともに取付部の他方の面に向けて引き回される電線を保持できる電線保持具とを備え、電線保持具は、取付部に固定されるベース部と、このベース部に対して傾倒可能に連結されたクランプ部とを有しており、ベース部には電線を挿通させる電線挿通溝が設けられており、クランプ部は、傾倒された状態で電線挿通溝を覆うととともにベース部との間に電線を挟持している。
【００１０】
本発明の電線保持具および照明装置は、取付部に電線挿通切欠きが設けられており、電線保持具は、ベース部が当該電線挿通切欠きを覆う位置に固定され、電線挿通溝が当該電線挿通切欠き内に配置される構成とされることが好ましい。
【発明の効果】
【００１１】
本発明によれば、取付部の一面の側と他面の側との間に電線が引き回される構成において、電線を電線保持具に設けた電線挿通溝に挿通させ、電線保持具のクランプ部で電線をベース部との間に挟持することにより、電線が取付部の縁部に接触することがなく、電線に対するダメージを防止して好適な状態に保持できる。クランプ部で電線挿通溝を覆うことにより、電線挿通溝を通して光が洩れること、虫、埃などが照明装置の内部に侵入することが防止できる。電線保持具を取付部に取り付けられるとともにクランプ部を傾倒するだけで電線を保持することができるので、照明装置の組立作業は容易である。
【図面の簡単な説明】
【００１２】
【図１】実施形態の照明装置を示し、（ａ）は下方から見た斜視図、（ｂ）はその分解斜視図。
【図２】実施形態の照明具を上方から見た斜視図。
【図３】実施形態の照明具を下方から見た主要な構成の分解斜視図。
【図４】実施形態の電線保持具を上方から見た斜視図であり、（ａ）はクランプ部を傾倒していない状態、（ｂ）はクランプ部を傾倒した状態を示す。
【図５】実施形態の電線保持具を下方から見た斜視図であり、（ａ）は固定前の状態、（ｂ）は取付部に固定してクランプ部を傾倒した状態を示す。
【図６】実施形態の照明具を示し、（ａ）は実施形態の照明具の一部を上方から見た斜視図、（ｂ）は同部を下方から見た斜視図。
【図７】（ａ）は図６の端部側から見た側面図、（ｂ）はそのＢ−Ｂ線断面図。
【図８】変形例１を上方から見た斜視図であり、（ａ）はクランプ部を傾倒していない状態、（ｂ）はクランプ部を傾倒した状態を示す。
【図９】変形例２を上方から見た斜視図であり、（ａ）はクランプ部を傾倒していない状態、（ｂ）はクランプ部を傾倒した状態を示す。
【図１０】変形例３を上方から見た斜視図であり、（ａ）はクランプ部を傾倒していない状態、（ｂ）はクランプ部を傾倒した状態を示す。
【図１１】変形例４を上方から見た斜視図であり、（ａ）は固定前の状態、（ｂ）は取付部に固定してクランプ部を傾倒した状態を示す。
【図１２】変形例５を下方から見た斜視図であり、（ａ）は固定前の状態、（ｂ）は取付部に固定してクランプ部を傾倒した状態を示す。
【図１３】変形例６の斜視図であり、（ａ）は上方から見た固定前の状態、（ｂ）は下方から見たクランプ部を傾倒した状態を示す。
【図１４】（ａ）は変形例６を適用した照明具を端部側から見た側面図、（ｂ）〜（ｄ）はクランプ部の詳細と動作を説明する拡大断面図である。
【図１５】変形例７を下方から見た斜視図であり、（ａ）は取付部１に固定する前の状態、（ｂ）は固定部１に固定してクランプ部を傾倒した状態を示す。
【図１６】変形例７を適用した照明具を端部側から見た図。
【発明を実施するための形態】
【００１３】
本発明の実施形態について図を参照しながら説明する。なお、以下に説明する実施の形態によって本発明が限定されるものではない。また、以下の図面では各構成部の大きさの関係が実際のものとは異なる場合がある。また、実施の形態の説明において、「上」、「下」、「表」、「裏」といった方向、向き、位置が示されている場合、それらの表記は、説明の便宜上、そのように記載しているだけであって、装置、器具、部品等の配置や向き等を限定するものではない。なお、以下の説明では、天井面等のように照明器具を取り付ける器具取付部の向きを取付向きあるいは上方とし、光源の照射方向を下方として説明する。
【００１４】
＜＜照明装置７００＞＞
図１は本実施の形態に係る照明装置７００を示し、図１（ａ）は下方から見た斜視図、図１（ｂ）はその分解斜視図である。この照明装置７００は、天井や壁などに取り付けられる照明装置として構成されており、長手方向に延びた長尺状の照明装置である。この照明装置７００は、長手方向に複数連結して用いられる場合がある。照明装置７００は、照明具１００と、この照明具１００が着脱自在に取り付けられる照明器具６００とを備える。
【００１５】
照明器具６００は、器具本体６１１と、器具本体６１１の両端部に取り付けられる器具端部６１２とを備える。器具本体６１１は板金が折り曲げられて形成されており、例えば、長手方向に直交する方向に概ね逆台形状に折り曲げられて、長手方向に延びた収容部６１５を備える。
【００１６】
収容部６１５の上底面部には、端子台６１６と、２つの取付ばね６１４が設置される。端子台６１６は、電源電線が接続される端子台であるが、信号電線が接続される端子台が設置されても構わない。取付ばね６１４は、照明具１００が備える後述するばね取付具５に対応する位置に配置される。なお、取付ばね６１４は、照明器具６００の形状に応じて設置される数を変更することができる。例えば、照明器具６００の長手方向の長さが短い場合は、長手方向の一端部側のみに取付ばね６１４を設置し他端部側はフックなどで固定する構成としてもよい。また、照明器具６００の長手方向の長さが長い場合は、長手方向の両端部と中央部に取付ばね６１４を設置してもよい。中央部に取付ばね６１４を設置する場合は、取付ばね６１４および取付ばね６１４に対応する照明具１００が備えるばね取付具５が、照明具１００に取り付けられる電源装置２６などと干渉しない位置を選択する。
【００１７】
端子台６１６には外部電源に接続される電源電線が接続される。また、図示は省略するが、この端子台６１６には照明器具６００を長手方向に連結した場合に隣接する照明器具に電力や信号を送る送り電線が接続される。よって、収容部６１５内には、電源電線や送り電線等が配設される。
【００１８】
収容部６１５には、電源電線を通過させる電源線挿入孔（図示省略）、天井等から吊下げられている施工用の吊ボルト（図示省略）を挿入させるボルト挿入孔（図示省略）等の各種の貫通孔が形成されている。ボルト挿入孔は、底面部に例えば４つ形成されている。
【００１９】
＜＜照明具１００＞＞
図２は照明具１００を上方から見た斜視図、図３は同照明具１００を下方から見た主要な構成の分解斜視図である。照明具１００は、取付部１、発光ユニット２、カバー３、電線保持具４、２つのばね取付具５を有する。
【００２０】
取付部１はプレート、あるいはフレームとも称され、長手方向（図３のＸ方向）に延びた矩形の板材の両側部を長手方向と直交する短手方向（図３のＹ方向）にコの字形に起立させた形状であり、中央の主板部１１と、その両側に起立された一対の側板部１２を備える。取付部１は板状の材料をコの字形に折り曲げたり、コの字形の金型を用いて押出したりして成形される。取付部１は、照明具１００が照明器具６００に取り付けられた状態のときには、一対の側板部１２は照明器具６００の収容部６１５の側に向けられる。また、主板部１１の長手方向の一方の端縁には、後述する導電線、すなわち給電線を挿通させるための電線挿通切欠き１３が形成されており、この電線挿通切欠き１３を短手方向に挟む両側位置に一対の取付孔１４が形成されている。電線挿通切欠き１３は、主板部１１の長手方向の一方の端縁に形成されているので、取付部１の剛性を低下させるおそれがない。
【００２１】
主板部１１の一面側、すなわち図３において下側に向けられた面には、詳細を後述するように、発光素子であるＬＥＤ２１が実装された基板２２を備える発光ユニット２が取り付けられる。また、主板部１１の当該一面側と反対側の他面側には、発光ユニット２に点灯電力を供給する電源装置２６と、２つのばね取付具５と、電線保持具４とが取り付けられる。
【００２２】
発光ユニット２は、取付部１の長手方向に沿って所要の長さを有する細長い基板２２を備えている。この基板２２は耐熱性のある絶縁基板の表面に所定の配線パターンが形成されており、その裏面が取付部１の一面側に固定支持されている。そして、基板２２の表面には、配線パターンに電気接続された複数のＬＥＤ２１、ここではチップ型ＬＥＤが搭載されている。基板２２には、ＬＥＤ２１を発光させるための発光回路を構成する各種の電子部品２３が搭載されている。また、基板２２には２つのコネクタ２４が設けられており、それぞれ給電線２５に接続されたプラグ（図示省略）が嵌合して接続されている。
【００２３】
これら２つのコネクタ２４はいずれも基板２２の長手方向にプラグが嵌合可能に構成されているので、コネクタ２４に対するプラグの係脱作業を一方向から容易に行うことができる。２本の給電線２５は取付部１の一方の端縁に設けられている電線挿通切欠き１３を通して取付部１の他面側にまで延長され、この取付部１の他面に沿ってさらに延長され、電源装置２６に接続されている。なお、照明具１００の光源として用いられる発光素子は、ＬＥＤに限らず、有機ＥＬ、固体レーザ、半導体レーザなどが用いられてもよい。
【００２４】
電源装置２６は、主板部１１の他面側における長手方向中央を基準としてより一方側に寄せて取り付けられている。この電源装置２６は、長手方向中央に取り付けられていても構わない。電源装置２６には、電源線２７が接続される。電源線２７は、先端部にコネクタ２８が接続されたハーネスである。電源線２７が後述する端子台６１６に接続された電源線６１７と接続されることで、電源装置２６は端子台６１６から電力を受け取ることができる。また、電源装置２６には、点灯電力をＬＥＤ２１に供給するための給電線２５が接続される。給電線２５は、電源装置２６から取付部１の長手方向端部に配置された電線保持具４を経由して発光ユニット２と接続される。
【００２５】
２つのばね取付具５は、主板部１１の他面側における長手方向の両端側にそれぞれ取り付けられている。これらのばね取付具５は、照明器具６００が備える取付ばね６１４と係合し、照明具１００を照明器具６００に固定する。さらに、ばね取付具５は、照明具１００の形状に応じて設置される数を変更することができる。照明具１００の長手方向の長さが短い場合は、長手方向の一端部のみにばね取付具５を設置し他端部はこれとは異なるフックなどを用いて固定する構成としてもよい。また、照明具１００の長手方向の長さが長い場合は、長手方向の両端部と中央部にばね取付具５を設置してもよい。中央部にばね取付具５を設置する場合は、ばね取付具５およびばね取付具５に対応し照明器具６００に配置された取付ばね６１４が、電源装置２６と干渉しない領域を選択する。
【００２６】
カバー３は、取付部１の長手方向のほぼ全領域域にわたって取り付けられる主カバー３１と、この主カバー３１の長手方向の両端縁にそれぞれ配設された一対の端部カバー３２とで構成されている。主カバー３１は透光性樹脂により凸状に湾曲された樋状に形成された透光部３１１と、この透光部３１１の両側部に不透光性樹脂により一体形成された保持部３１２を備えている。この保持部３１２は、取付部１の側板部１２の外側に沿うように配設されるカバー側部３１３と、このカバー側部３１３の先端縁に沿って設けられて取付部１の側板部１２に係合される係合部３１４と、取付部１の表面の両側部に当接される支持部３１５を備えている。
【００２７】
なお、この実施形態では、端部カバー３２は透光性樹脂で形成されており、主カバー３１の両端縁に一体成形されている。また、透光部３１１と保持部３１２とは、それぞれ透光性の材料と遮光性の材料を用いて二色成形法等により一体成形されてもよい。カバー３は発光ユニット２から出射される照明光を透過させ、本実施形態の照明装置７００の発光面を構成する。この実施形態では、カバー３の発光面となる領域は光を拡散するように処理されている。
【００２８】
図４は、電線保持具４を上方から見た斜視図であり、図４（ａ）はクランプ部４２を傾倒していな
い状態、図４（ｂ）はクランプ部４２を傾倒した状態を示す斜視図である。電線保持具４は、取付部１の長手方向の一方の端部、すなわち電線挿通切欠き１３が設けられている部位に固定されている。電線保持具４は樹脂材料を用いて形成されており、樹脂材料としては、例えばナイロン、ポリカーボネート（ＰＣ）、ポリプロピレン（ＰＰ）、ポリブチレンテレフタレート（ＰＢＴ）が好ましい。また、照明装置７００から不要光が出射されないように、樹脂材料に遮光性材料あるいは高反射材料が添加された混合材料が用いられてもよい。電線保持具４は長方形の板状のベース部４１と、ヒンジ部４３を介してベース部４１と一体形成されたクランプ部４２を備えている。
【００２９】
ベース部４１の周縁部には互いに対向した対向面が形成されている。電線保持具４を取付部１に装着する作業性を考慮した場合に、対向面どうしの間隔は、挟持し易い２０ｍｍ〜６０ｍｍ程度の寸法とすることが好ましい。この実施の形態では、ベース部４１の長手方向の長さ寸法が約５０ｍｍ、短手方向の長さ寸法が約２５ｍｍであるので、いずれの対向面を挟持した場合でも良好な取り付け作業を実施することができる。また、ベース部４１の厚さ寸法は同様の理由により概ね２ｍｍ程度の寸法とすることが好ましい。なお、ベース部４１は、長方形以外の形であってもよく、例えば多角形あるいは楕円形を含む円形の周縁部に対向する対向面が形成されたものであってもよい。ヒンジ部４３は、ベース部４１の一部を薄肉化しており、ベース部４１の厚さ寸法より小さい、例えば、１ｍｍ程度の厚さに薄肉化して形成される。このようにすることによってクランプ部４２がスムーズに傾倒できるようにしている。なお、ヒンジ部４３の厚さ寸法は、使用する樹脂材料、電線保持具４の構造、クランプされる給電線２５の線径などを考慮して設定される。
【００３０】
ベース部４１には電線保持具４を取付部１に固定するために、ベース部４１の長辺方向の両端近傍の各部位においてそれぞれ裏面から突出された碇状のスナップ部４４を有している。このスナップ部４４は、２つのフック、ここでは鉤型をした２つのフックが背中合せの状態で近接してベース部４１の裏面から突出された構成である。本実施の形態において、これらのスナップ部４４は取付部１に設けられた取付孔１４に取付部１の裏面側から嵌入される。電線保持具４は、これらスナップ部４４が当該取付孔１４に嵌入されて２つのフックと取付孔１４の端縁部とが相互に係合されたときに、ベース部４１を取付部１の裏面に当接させた状態で取付部１に固定される。これらスナップ部４４の突出量は、取付部１にカバー３が取り付けられたときに、カバー３の支持部３１５に干渉しない寸法とされている（図７（ａ）参照）。なお、ベース部４１の長辺方向の両端領域、すなわちスナップ部４４が形成されている領域は、中央領域よりも厚さが薄くなるように形成されており、スナップ部４４が取付孔４に嵌入される際のストローク長を補うことができる。
【００３１】
ベース部４１の表面の一部には、表面から厚さ方向に突出され、先端が長辺方向に向けられた逆Ｌ字形の保持部４５を有している。この保持部４５は、後述するように、給電線２５がこの保持部４５とベース部４１の表面との間に挿通されることにより給電線２５を抱持した状態でベース部４１に保持させる。なお、この保持部４５は給電線２５の一部を巻き付けて給電線２５の引き回し長さの調整ができるようにしてもよい。
【００３２】
また、ベース部４１の一方の長辺の縁部、すなわち取付部１に固定されたときに電線挿通切欠き１３に臨む側の辺には、長辺方向に所定の間隔をおいて一対の電線挿通溝４６が切欠き形成されている。これらの電線挿通溝４６には、２本の給電線２５が挿通可能であり、発光ユニット２から引き出されて各電線挿通溝４６を挿通された各給電線２５は取付部１の他面の側に向けて引き回されることになる。
【００３３】
ベース部４１には、一対の電線挿通溝４６で挟まれる領域に矩形ブロック状のクランプ当接部４１１が立設されている。また、ベース部４１の裏面にはクランプ当接部４１１から厚さ方向に当接突起４１２が立設されている。この当接突起４１２の突出高さは、スナップ部４４の先端高さにほぼ等しい高さとされている。
【００３４】
クランプ部４２はベース部４１の表面側から一対の電線挿通溝４６を同時に覆うことが可能な長さ寸法を有するレバー片として形成されており、その長さ方向に直交する断面形状が逆Ｌ字型とされ、一端がベース部４１の縁部の一部においてヒンジ部４３により連結されている。クランプ部４２の他端にはフック形状の第１係合部４７が形成されている。これに対応して、ベース部４１の一対の電線挿通溝４６を挟んだヒンジ部４３と反対側の部位に逆フック形状の第２係合部４８が設けられている。この第２係合部４８は第１係合部４７に対して係脱可能とされている。
【００３５】
クランプ部４２の内側面、すなわちクランプ部４２を傾倒した状態でクランプ当接部４１１に当接される側の面には、一対の電線挿通溝４６に対応して一対の押圧突起４９が突設されている。これらの押圧突起４９は、それぞれクランプ部４２を傾倒した状態で対応する電線挿通溝４６に嵌入ないし内挿されるようになっている。
【００３６】
ここで、クランプ部４２のベース部４１に対する最大開き角度は、給電線２５を配線する作業とクランプする作業とを妨げないように、９０°以上の角度に設定される。さらに、部品包装容積、特に厚み方向の寸法を小さくし、チャッキングの妨げにならないように１８０°以上にすることが好ましい。
【００３７】
この電線保持具４は、図４（ａ）に矢印で示すように、クランプ部４２がヒンジ部４３を支点にしてベース部４１に向けて厚さ方向に傾倒されると、図４（ｂ）のように、クランプ部４２がベース部４１の表面に沿った状態にまで傾倒される。このときクランプ部４２はクランプ当接部４１１に当接されて一対の電線挿通溝４６を覆う状態になり、これと同時に第１係合部４７が第２係合部４８に係合され、クランプ部４２はベース部４１に対して傾倒した状態が保持されることになる。
【００３８】
クランプ部４２は、ベース部４１の厚さ方向に電線挿通溝４６を覆う本体部４２１と、本体部４２１から本体部４２１の厚さ方向に立設してベース部４１の面方向から電線挿通溝４６を覆う立設部４２２とが一体に形成されている。クランプ部４２が傾倒された状態では、立設部４２２の一部が第２係合部４８及び基部４１６に重なるように電線挿通溝４６を覆っている。なお、第１係合部４７と第２係合部４８の係合は強制的に解除することが可能であり、クランプ部４２が電線挿通溝４６を開放する状態に復帰させることが可能とされる。
【００３９】
以上の構成の実施形態の照明装置７００では、照明器具６００の天井等への取り付けは、天井からつり下げられている吊ボルトに固定する方法、ネジなどの固定具により直接天井に固定する方法などがある。照明器具６００を天井に取り付ける際、天井から引き出される電源電線、すなわちＦケーブルを、電源線挿入孔（図示省略）を介して照明器具６００の収容部６１５内に引き込み、端子台６１６に接続する。次に、取付ばね６１４を照明具１００のばね取付具５と係合させ、照明具１００と照明器具６００との間に作業空間が存在する状態で、端子台６１６の電源線６１７のコネクタ６１８と、電源装置２６の電源線２７のコネクタ２８とを接続する等の作業が行われる。その後、照明具１００を照明器具６００に向かって押し上げ、照明具１００が照明器具６００に取り付けられる。また、照明具１００が当該照明器具６００に取り付けられた状態では、照明具１００が備える電源装置２６の少なくとも一部が収容部６１５に挿入される。
【００４０】
＜＜照明具１００の組み立て＞＞
図５は電線保持具４を取付部１に取り付ける状態を下方から見た斜視図であり、図５（ａ）は固定前の状態、図５（ｂ）は取付部に固定してクランプ部を傾倒した状態である。図６（ａ）は取付部１に電線保持具４とカバー３を取り付けた状態の照明具１００の一部を上方から見た斜視図、図６（ｂ）は下方から見た斜視図である。また、図７（ａ）は端部カバー３２を取り外した照明具１００を一方の端部側から見た側面図であり、図７（ｂ）はそのＢ−Ｂ線断面図である。照明具１００の組み立てに際しては、取付部１の電線挿通切欠き１３が設けられている一方の端縁側の部位に、電線保持具４を固定しておく。これらの図に示すように、ベース部４１に設けられた一対のスナップ部４４をそれぞれ取付部１の取付孔１４に嵌合させることにより電線保持具４を取付部１に取り付ける。
【００４１】
図示は省略するが、電線保持具４の取り付けに際しては、部品供給台に載置されている電線保持具４を吸着ノズルにて吸着し、取付部１の端縁部にまで搬送した上で取り付けることができる。このとき、ベース部４１の裏面側にはスナップ部４４と当接突起４１２がほぼ同じ高さで突出されているので、これらスナップ部４４と突起４１２との三点支持により電線保持具４は部品供給台上に傾斜することなく平坦な状態で載置されているので確実に吸着される。また、電線保持具４のベース部４１は所要の面積の平坦領域を有しているので、吸着ノズルによる吸着は可能でかつ容易である。さらに、電線保持具４は平面形状が非対称形状であるので、取付部１に対する取付方向を認識し易くなる。
【００４２】
ベース部４１におけるスナップ４４の近傍には、スナップ部４４の位置を取付部１の取付孔に合わせるためのガイド孔４１５が設けられている。ガイド孔４１５は、電線保持具４を取付部１に自動装着する場合に、セルフアライメントの基準として用いることができる。また、ガイド孔４１５の大きさ、形などを適宜変更することによって、取付部１の取付孔を視認可能なものとすることができるので、電線保持具４を手で掴んで取付部１に装着する場合の目印として機能する。なお、ガイド孔４１５は、スナップ部４４の成形上必要となる孔を用いてもよい。
【００４３】
電線保持具４を取付部１に取り付けることにより、電線挿通切欠き１３は電線保持具４のベース部４１によってほぼ全域が覆われ、同時に電線保持具４の電線挿通溝４６は電線挿通切欠き１３内に位置されることになる。また、取付部１の一面側には、発光ユニット２の基板２２を固定する。
【００４４】
その上で、図６（ａ），（ｂ）に示したように、基板２２に接続された２本の給電線２５を取付部１の電線挿通切欠き１３を通して取付部１の表面側から裏面側に引き回す。このとき、各給電線２５はそれぞれ電線保持具４の各電線挿通溝４６を内挿させ、この電線挿通溝４６内において給電線２５を取付部１の他面側に折り返す。さらに、各給電線２５をそれぞれベース部４１の表面側に沿って延長させた上で、その際に保持部４５を潜らせることにより、２本の給電線２５は保持部４５においてベース部４１との間に抱持される。この保持部４５は、ベース部４１の複数箇所、例えば２箇所に設けてもよく、その位置および個数は任意に設計できる。また、保持部４５が給電線２５を抱持する方向はベース部４１の短辺方向あるいは長辺方向のいずれであってもよい。
【００４５】
次いで、ヒンジ部４３によりクランプ部４２を傾倒させ、第１係合部４７を第２係合部４８に係合させると、クランプ部４２は内面がクランプ当接部４１１の表面にほぼ当接した状態で固定状態とされる。クランプ部４２の内面の押圧突起４９はそれぞれ電線挿通溝４６に侵入され、この電線挿通溝４６内において折り返された給電線２５に当接され、この当接された部位において給電線２５をベース部４１との間に挟持する。これにより、給電線２５はベース部４１を固定している取付部１に保持されることになり、照明装置７００内において安定な状態に保持される。
【００４６】
給電線２５は樹脂製の電線保持具４の電線挿通溝４６において折り返されるので、取付部１を切り欠いた電線挿通切欠き１３の縁部に接触されることはない。したがって、取付部１の加工仕上げが多少荒くても、給電線２５が電線挿通切欠き１３のエッジ（縁部）に直接的に当接してダメージを受けることがなく、給電線２５の保持の信頼性が確保される。
【００４７】
クランプ部４２は傾倒されたときに電線挿通溝４６を覆って閉塞した状態とする。これにより、電線挿通溝４６を通して取付部１の一面側と他面側が連通ないし開通されることが防止される。したがって、ＬＥＤ２１から出射した光が電線挿通溝４６を通して取付部１の他面側に洩れることが防止されるので光の利用効率を高めることができ、照明装置７００から不要な光が出射されることを防止できる。また、微細な塵埃や微小な虫等が取付部１の他面側から一面側、すなわち主カバー３１側の内部に侵入し、主カバー３１の内面に付着することを防止できるので、光学性能が長期にわたって維持される。
【００４８】
このように、実施形態の電線保持具４を備えた照明装置７００の組み立てに際しては、発光ユニット２に接続されている給電線２５を取付部１の一面側から他面側に引き回す際に、電線挿通溝４６を挿通させて折り返し、折り返した部分を一部において保持部４５で抱持させ、かつこれと前後してクランプ部４２をヒンジ部４３において傾倒させてベース部４１との間に挟持させる作業だけで給電線２５を保持することができる。したがって、迅速かつ容易に給電線２５を節度良く照明装置７００内において保持することができる。また、電線保持具４は樹脂材用を用いて一体成形で形成できるので、低コストで製造できる。
【００４９】
照明具１００のメンテナンスを行う時には、第１係合部４７と第２係合部４８の係合を解除すれば、給電線２５の保持状態を解除できる。電線保持具４に不具合が生じた場合には、スナップ部４４による取付部１の取付孔１４との嵌合を解除すれば、簡単に取付部１から取り外すことができ、電線保持具４を容易に交換できる。
【００５０】
本発明にかかる電線保持具は、以上の実施形態に限られるものではなく、種々の変形例が考えられる。図８から図１６を用いて電線保持具の変形例を説明する。なお、以下の変形例において、実施形態と等価な部分には同一符号または英字を添えた符号を付してその詳細な説明は省略する。
【００５１】
＜＜変形例１＞＞
図８（ａ），（ｂ）は変形例１の電線保持具４Ａのクランプ部４２Ａを傾倒していない状態とクランプ部４２Ａを傾倒した状態の各斜視図である。変形例１はクランプ部４２Ａをヒンジ部４３によってベース部４１の平面方向に回動させるように構成されている。クランプ部４２Ａはベース部４１に向けて回動されたときに電線挿通溝４６を覆う位置まで移動され、この移動位置において電線挿通溝４６を覆うとともに、電線挿通溝４６に挿通された給電線２５をベース部４１との間に挟持する。クランプ部４２Ａをベース部４１に固定状態とする第１係合部４７と第２係合部４８は平面方向に係脱するような構成とされている。
【００５２】
この変形例１の電線保持具４Ａは、幅寸法（照明装置の短手方向の寸法）が短い照明装置に適用しても、クランプ部４２Ａが取付部１の側板部１２と干渉することは少なく、照明装置に対する電線保持具４Ａの取り付け、及び給電線２５の保持を容易に行うことができる。
【００５３】
＜＜変形例２＞＞
図９（ａ），（ｂ）は変形例２の電線保持具４Ｂのクランプ部４２Ｂを傾倒していない状態とクランプ部４２Ｂを傾倒した状態の各斜視図である。変形例２はクランプ部４２Ｂがベース部４１の一方の側縁からＴ字型に突出された構成とされている。このＴ字型の中央部位はヒンジ部４３として構成され、クランプ部４２Ｂを厚さ方向に傾倒可能としている。クランプ部４２Ｂは傾倒されたときに本体部４２１と立設部４２２で電線挿通溝４６を覆うとともに、電線挿通溝４６を挿通された給電線２５をベース部４１との間に挟持する。ここでは立設部４２２は電線挿通溝４６に対応する部位にのみ設けられている。第１係合部４７はクランプ部４２Ｂの先端部に設けられ、第２係合部４８はベース部４１のほぼ中央部位に設けられている。
【００５４】
変形例２の電線保持具４Ｂも、幅寸法が短い照明装置に適用したときにクランプ部４２Ｂが取付部１の側板部１２と干渉することは少なく、照明装置に対する電線保持具４Ｂの取り付け、及び給電線２５の保持を容易に行うことができる。また、クランプ部４２Ｂの幅寸法や長さ寸法の設計自由度が高いので、電線挿通溝４６を閉塞する効果と、給電線２５の保持強度を高めることができる。
【００５５】
＜＜変形例３＞＞
図１０（ａ），（ｂ）は変形例３の電線保持具４Ｃのクランプ部４２Ｃを傾倒していない状態とクランプ部４２Ｃを傾倒した状態の各斜視図である。変形例３は、基本的には変形例２と同じであるが、クランプ部４２Ｃをベース部４１の中央部位を切り欠いて構成している点が異なる。Ｔ字型に切り欠いた中央部位はヒンジ部４３として構成され、クランプ部４２Ｃはベース部４１の厚さ方向に傾倒可能とされている。クランプ部４２Ｃの先端部位は、傾倒されたときに電線挿通溝４６を覆うとともに、電線挿通溝４６を挿通された給電線２５をベース部４１との間に挟持する。第１係合部４７はクランプ部４２Ｃの先端寄りの位置に設けられ、第２係合部４８はベース部４１の端縁の近傍位置に設けられている。
【００５６】
変形例３は、幅寸法が短い照明装置に適用しても、あるいは長さ寸法に制限を受ける照明装置に適用しても、クランプ部４２Ｃが取付部１の側板部１２や、カバー３の端部カバー３２等と干渉することは少なく、照明装置に対する電線保持具４Ｃの取り付け、及び給電線２５の保持を容易に行うことができる。また、クランプ部４２Ｃの幅寸法や長さ寸法の設計自由度が高いので、電線挿通溝４６の閉塞効果と給電線２５の保持強度を高めることが容易である。
【００５７】
＜＜変形例４＞＞
図１１（ａ），（ｂ）は変形例４の電線保持具４Ｄのクランプ部４２を傾倒していない状態と、取付部１に取り付けてクランプ部４２を傾倒した状態の各斜視図である。変形例４は基本的には実施形態の構成と同じであるが、クランプ部４２Ｄは常態においてベース部４１の平面に対して９０°の角度で立設されている。また、ベース部４１の表面上にはクランプ当接部４１１と並ぶようにして電線ガイド部４１３が形成されている。この電線ガイド部４１３は一方の電線挿通溝４６から保持部４５に向けて延設された側壁４１４（図１１（ａ）の破線）を有している。この側壁４１４は所要の曲率の円周面壁あるいは任意の曲面壁として形成されることが好ましい。
【００５８】
変形例４は、クランプ部４２Ｄがベース部４１の表面に対してほぼ垂直であり、クランプ部４２Ｄの一部がベース部４１の外縁よりも外側に突出されることがないので、電線保持具４Ｄの平面縦横寸法が小さくでき、取り扱い易くなる。また、クランプ部４２Ｄが取付部１の側板部１２と干渉することは少なく、照明装置に対する電線保持具４Ｄの取り付け、及び給電線２５の保持を容易に行うことができることは変形例１と同じである。さらに、電線挿通溝４６を挿通させた給電線２５を保持部４５にまで配設する際に、一方の給電線２５を電線ガイド部４１３の側壁４１４に沿わせることにより、給電線２５は節度を保った状態で延設でき、かつ保持部４５において好適に保持することが可能になる。
【００５９】
＜＜変形例５＞＞
図１２（ａ），（ｂ）は変形例５の電線保持具４Ｅを取付部１に固定する前と後の斜視図である。変形例５は、電線保持具４Ｅを取付部１に取り付けるためのスナップ部の構造が異なるものである。クランプ部４２Ｅの構成は変形例１の構成と同じである。スナップ部の構成は、ベース部４１に設けた一対の電線挿通溝４６を含む領域で、かつ取付部１の電線挿通切欠き１３に対応する領域に厚肉部４１Ｅが設けられている。この厚肉部４１Ｅはベース部４１の当該領域において厚さ寸法を裏面側に増大することによって形成されている。そして、この厚肉部４１Ｅの両側縁、特に一対の電線挿通溝４６を挟む両外側に隣接する部位にそれぞれ先端が両外方向に突出された爪状のスナップ部４４Ｅが形成されている。一方、取付部１の電線挿通切欠き１３には、両側の内縁にそれぞれスナップ部４４Ｅが係合可能な係合凹部１５が形成されている。
【００６０】
変形例５では、電線保持具４Ｅを取付部１の端縁の外側から電線挿通切欠き１３に差し込むと、厚肉部４１Ｅが電線挿通切欠き１３内に内挿される。この内挿時にスナップ部４４Ｅは内側に弾性変形され、内挿後は外側に弾性変形されて係合凹部１５に係合され、電線保持具４Ｅは取付部１に固定される。固定された電線保持具４Ｅが電線挿通溝４６を覆い、かつ給電線２５を保持することは実施形態と同じである。
【００６１】
変形例５の電線保持具４Ｅは、取付部１の端縁の外側から電線挿通切欠き１３に差し込むことにより取付部１に固定することができるので、作業は容易である。また、電線保持具４Ｅを取付部１に固定するための取付孔（１４）を独立して開口する必要がない。さらに、電線保持具４Ｅによって電線挿通切欠き１３のエッジが露呈することが防止でき、給電線２５に対するダメージを確実に防止できる。
【００６２】
＜＜変形例６＞＞
図１３（ａ），（ｂ）は変形例６の電線保持具４Ｆの斜視図であり、図１３（ａ）は上方から見たクランプ部４２を傾倒する前の状態を示し、図１３（ｂ）は下方から見たクランプ部４２を傾倒した後の状態を示す。図１４（ａ）は電線保持具４Ｆを固定部１に固定し、端部カバー３２を取り外した照明具１００を一方の端部側から見た側面図である。図１４（ｂ）〜（ｄ）は、電線保持具４Ｆのスナップ部４４Ｆ付近を拡大した図であり、スナップ部４４Ｆが取付孔１４に取り付けられる様子を示している。この変形例６は、スナップ部が実施形態のスナップ部４４を変形したスナップ部４４Ｆとして構成されており、その他の構成は実施形態と同じである。このスナップ部４４Ｆにより電線保持具４Ｆを取付部１に固定する方法は実施形態と同じである。
【００６３】
変形例６のスナップ部４４Ｆは、ベース部４１の裏面から厚さ方向に突出された碇型（錨型）に形成されている。詳しくは、図１４（ｂ）にスナップ部４４Ｆが取付孔１４に嵌入される前の拡大断面図を示すように、ベース部４１の裏面から厚さ方向に突設した軸部４４１Ｆ、軸部４４１Ｆの先端から斜め上方に向かって屈曲させて形成した１組の第１爪部４４２Ｆ、第１爪部４４２Ｆの先端から上方に向かって屈曲させて形成した１組の第２爪部４４３Ｆを備える。第２爪部４４３Ｆは第１爪部４４２Ｆより肉厚が薄く、第１爪部４４２Ｆの先端部は外側が段差部４４４Ｆとなっている。第１爪部４４２Ｆ及び第２爪部４４３Ｆと軸部４４１Ｆとの間は空隙４４５Ｆとなっている。第１爪部４４２Ｆ及び第２爪部４４３Ｆは厚さ方向に弾性変形する。
【００６４】
図１４（ｂ）に示すように、電線保持具４Ｆが取付部１に固定されていない状態のスナップ部４４Ｆは、２つの第１爪部４４２Ｆの最外部どうしの寸法Ｌ２が取付孔１４の開口寸法Ｌ３よりも大きく形成されており（Ｌ２＞Ｌ３）、２つの第２爪部４４３Ｆの最外部どうしの寸法Ｌ１が２つの第２爪部４４２Ｆの最外部どうしの寸法Ｌ２より小さくなるように形成されている（Ｌ１＜Ｌ２）。
【００６５】
図１４（ｃ）にスナップ部４４Ｆが取付孔１４に嵌入されるときの断面図を示すように、スナップ部４４Ｆは取付部１の裏面側から矢印Ｆの向きに取付孔１４に押し込まれるようにして嵌入される。この際、第１爪部４４２Ｆ及び第２爪部４４３Ｆは、軸部４４１Ｆ側（矢印Ｃの向き）に窄まるように弾性変形し、スナップ部４４Ｆは第１爪部４４２Ｆの最外部のみが取付孔１４のせん断面に当接しながらスムーズに取付孔１４に挿入される。スナップ部４４Ｆは、取付孔１４の切口形状によらず取付孔１４のいずれの側からもスムーズに押し込むことができる。例えば、取付孔１４の他面側における端縁部にバリが残った状態であっても、スナップ部４４Ｆは取付孔１４にスムーズに押し込むことができる。
【００６６】
図１４（ｄ）にスナップ部４４Ｆが取付孔１４に嵌入されたときの断面図を示すように、電線保持具４Ｆは、２つの第１爪部４４２Ｆ及び第２爪部４４３Ｆは、軸部４４１Ｆ側に若干窄まるように弾性変形した状態で取付部１に固定されている。この状態で、スナップ部４４Ｆの２つの段差部４４４Ｆが取付孔１４の一面側における端縁部に係止されており、２つの第２爪部４４３Ｆは下端部が取付孔１４の端縁部と当接している。また、スナップ部４４Ｆは元の形に戻る反力が残った状態であり２つの第２爪部４４３Ｆは矢印Ｅの向きに取付孔１４の端縁部を押圧している。スナップ部４４Ｆは、取付孔１４の切口形状によらず取付孔１４のいずれの側からも確実に固定されるので、取付孔１４から抜けにくくなる。例えば、取付孔１４の他面側における端縁部にダレが残った状態であっても、スナップ部４４Ｆは取付孔１４に確実に固定される。電線保持具４Ｆが取付部１に固定されている状態のスナップ部４４Ｆは、２つの第１爪部４４２Ｆの最外部どうしの寸法Ｌ４が取付孔１４の開口寸法Ｌ３より大きい（Ｌ４＞Ｌ３）。
【００６７】
このように、電線保持具４Ｆを用いる場合には、取付部１は形状、成形方法の選択肢が広がる。また、せん断面の加工処理も不要となるため、取付部１の製造コストを抑制することもできる。
【００６８】
また、スナップ部４４Ｆを成形したときには、ベース部４１にスナップ部４４Ｆに対応して２つの穴、あるいは一方の穴と他方の切欠きが形成される。これらは、前記したようにセルフアライメントなどに用いられるガイド孔４１５として有効である。変形例６は後者を例示したものである。
【００６９】
＜＜変形例７＞＞
図１５は変形例７の電線保持具４Ｇを示し、図１５（ａ）は下方から見た取付部１に固定する前の斜視図、図１５（ｂ）は下方から見た固定部１に固定してクランプ部４２Ｇを傾倒した斜視図である。図１６は端部カバー３２を取り外した照明具１００を一方の端部側から見た側面図である。変形例７は、電線保持具４Ｇを取付部１に取り付けるための一対のスナップ部４４Ｇは、ベース部４１の短手方向に沿ってクランプ当接部４１１を挟む両側位置にそれぞれ配設されている。また、クランプ当接部４１１は主板部１１に設けた電線挿通切欠き１３を挿通して主板部１１の一面側に突出される高さに形成されている。これにより、スナップ部４４Ｇとクランプ当接部４１１の間にそれぞれ電線挿通溝４６が形成される。クランプ部４２Ｇは、電線挿通溝４６の上方領域のみを覆うように形成されており、立設部４２２の高さ寸法は前記した実施形態や各変形例のものよりも短くされている。
【００７０】
各スナップ部４４Ｇは、それぞれベース部４１から突出した鉤型ないしＬ字状をしたフック片として形成されており、曲げ形成されている先端部がそれぞれクランプ当接部４１１と反対側に向けられている。すなわち、両スナップ部４４Ｇの先端部が外側に向けられている。これに対応して取付部１の主板部１１に設けた電線挿通切欠き１３は、主板部１１の短手方向に沿った寸法が２つのスナップ部４４Ｇの対向間隔寸法にほぼ等しい寸法に形成されている。
【００７１】
変形例７のスナップ部４４Ｇの構成も既に知られている構成であるが、取付部１に電線保持具４Ｇを固定したときには、２つのスナップ部４４Ｇを構成している各フック片の先端部は電線挿通切欠き１３の対向する縁部に係合され、電線保持具４Ｇは取付部１に固定される。変形例７は、スナップ部４４Ｇがカバー３の支持部３１５と干渉しないように、取付部１の短手方向の内側に配設されるので、スナップ部４４Ｇでの係合に際してスナップ部４４Ｇにおけるフック片の弾性変形のストロークを十分に確保することができ、固定の安定化を図ることができる。
【００７２】
本発明は、以上説明した実施の形態及び変形例１〜７の具体的な構成に限られるものではない。例えば、本発明にかかる電線保持具は、１本あるいは３本以上の給電線を保持する場合にも適用できる。また、取付部の短手方向の端縁部に取り付けるように構成してもよい。そして、本発明は、正方形、菱形、円形、楕円形などの外形である照明装置に適用できる。さらに、本発明は、発光ユニットとしてＬＥＤ以外の蛍光灯、白熱電球等を光源とする照明装置、あるいは直管ＬＥＤランプや電球形ＬＥＤランプを用いた照明装置への適用も可能である。
【００７３】
本発明に係る電線保持具のうち、その一部が主板部１１の一面側、すなわち図３において下側に向けられた面によりさらに下側に突出して配置される場合、ＬＥＤ２１から出射される光を遮らないように、下側に突出して配置される部分は透光性材料を用いて成形されてもよい。この場合、電線保持具は、遮光性材料あるいは高反射材料を用いる部分と透光性材料を用いる部分とを、二色成形法等により一体成形されてもよい。
【符号の説明】
【００７４】
１ 取付部、２ 発光ユニット、３ カバー、４，４Ａ〜４Ｇ 電線保持具、５ ばね取付具、１１主板部、１２ 側板部、１３ 電線挿通切欠き、１４ 取付孔、２１ 発光ダイオード（ＬＥＤ）、２２ 基板、２３ 電子部品、２４ コネクタ、２５ 給電線、２６ 電源装置、２７ 電源線、２８ コネクタ、２９ 電線ガイド、３１ 主カバー、３２ 端部カバー、４１ ベース部、４２，４２Ａ〜４２Ｇ クランプ部、４３ ヒンジ部、４４，４４Ｅ〜４４Ｇ スナップ部、４５ 保持部、４６ 電線挿通溝、４７ 第１係合部、４８ 第２係合部、１００ 照明具、３１１ 透光部、３１２ 保持部、３１３ カバー側部、３１４ 係合部、３１５ 支持部、４１１ クランプ当接部、４１２ 当接突起、４１３電線ガイド部、４１４ 側壁、４１５ ガイド孔、４１６ 基部、４２１ 本体部、４２２ 立設部、４４１Ｆ 軸部、４４２Ｆ 第１爪部、４４３Ｆ 第２爪部、４４４Ｆ 段差部、４４５Ｆ 空隙、６００ 照明器具、６１１ 器具本体、６１２ 器具端部、６１３ 器具蓋部、６１４ 取付ばね、６１５ 収容部、６１６ 端子台、６１７ 電源線、６１８ コネクタ、７００ 照明装置
【図１】
2018014192.tif 000003
【図２】
2018014192.tif 000004
【図３】
2018014192.tif 000005
【図４】
2018014192.tif 000006
【図５】
2018014192.tif 000007
【図６】
2018014192.tif 000008
【図７】
2018014192.tif 000009
【図８】
2018014192.tif 000010
【図９】
2018014192.tif 000011
【図１０】
2018014192.tif 000012
【図１１】
2018014192.tif 000013
【図１２】
2018014192.tif 000014
【図１３】
2018014192.tif 000015
【図１４】
2018014192.tif 000016
【図１５】
2018014192.tif 000017
【図１６】
2018014192.tif 000018